(57)【要約】      （修正有）【課題】操作者の指が挟まれることを防止でき、また、密閉性と遮音性を確保できるクリップ部材を提供する。【解決手段】引戸１の戸先１ａに取り付けられ、相手部材１０に対し引戸が閉められるときにクッションの機能を担う長手方向に長い形状の引戸の戸先用クッション材２であって、短手方向断面において中央部のかまぼこ輪郭形状の第１クッション部３と、短手方向断面において第１クッション部の両側に左右対称にあって羽根状の第２クッション部４とを備える。第１クッション部には、かまぼこ輪郭形状の内部に中空の第１空間６が形成されており、第２クッション部の両側の先端部が自由端に形成され、自由端がかまぼこ輪郭形状の外面に近接しかまぼこ輪郭形状の外面と第２クッション部の内面との間に第２空間７が形成されている。【選択図】図１
0003175086.tif 000002
【実用新案登録請求の範囲】
【請求項１】
引戸の戸先に取り付けられ、相手部材に対し引戸が閉められるときにクッションの機能を担う長手方向に長い形状の引戸の戸先用クッション材であって、
短手方向断面において中央部のかまぼこ輪郭形状の第１クッション部と、
短手方向断面において前記第１クッション部の両側に左右対称にあって羽根状の第２クッション部とを備え、
前記第１クッション部には、前記かまぼこ輪郭形状の内部に中空の第１空間が形成されており、
前記第２クッション部の両側の先端部が自由端に形成され、前記自由端が前記かまぼこ輪郭形状の外面に近接し前記かまぼこ輪郭形状の外面と前記第２クッション部の内面との間に第２空間が形成されている
ことを特徴とする引戸の戸先用クッション材。
【請求項２】
前記第２クッション部は、前記第１クッション部よりも厚み方向により突出した厚みを有する
ことを特徴とする請求項１に記載の引戸の戸先用クッション材。
【請求項３】
前記第１クッション部は、前記相手部材の面との間にクッション性を与えるとともに指挟み防止の機能を有し、
前記第２クッション部は、前記第１クッション部と前記相手部材の面との間に形成される隙間を外部から気密にする機密性の機能を有する
ことを特徴とする請求項１に記載の引戸の戸先用クッション材。
【請求項４】
背面は平坦状に形成されている
ことを特徴とする請求項１に記載の引戸の戸先用クッション材。
【請求項５】
背面に、引戸の前記戸先に埋め込まれて取り付けられる取り付け部が突出して形成されている
ことを特徴とする請求項１に記載の引戸の戸先用クッション材。
【請求項６】
鎌錠セットを備える引戸に取り付けられ、
前記鎌錠セットは、前記戸先用クッション材の一部を切り欠いて前記戸先に取り付けられる鎌錠本体と、前記相手部材に形成される相手孔部とを備え、前記鎌錠本体は、鎌形状を有する鎌錠部と、前記引戸が開かれた状態では前記戸先面から所定長さだけ突出し前記相手部材と接触して進退自在のトリガー部と、前記鎌錠部の前記相手孔部に対する動きを操作する操作錠部とを有し、
前記第１クッション部の厚さは、前記トリガー部の前記所定長さの０．２倍から１．５倍の大きさである
ことを特徴とする請求項１に記載の引戸の戸先用クッション材。
【請求項７】
前記第１クッション部の厚さは、前記トリガー部の前記所定長さの０．２倍から０．８倍の大きさである
ことを特徴とする請求項６に記載の引戸の戸先用クッション材。
【考案の詳細な説明】
【考案の属する技術分野】
【０００１】
本願考案は、引戸の戸先に取り付けられ、相手部材に対し引戸が閉められるときにクッションの機能を担う長手方向に長い形状の引戸の戸先用クッション材に関する。
【従来の技術】
【０００２】
引戸の戸先には、相手部材に対し引戸が閉められるときにクッションの機能を担うものとして戸先用クッション材が取り付けられことがある。
【０００３】
戸先用クッション材は、住居空間に取り付けられるために、美観的なデザイン性とともに、相手部材との間に機密性の確保や、指挟みを防止する安全性や、閉まるときに生じる音を吸収する吸音性等を備えることが求められる。
【先行技術文献】
【特許文献】
【０００４】
【特許文献１】登録実案新案公報第３１６２９４７号
【考案の概要】
【考案が解決しようとする課題】
【０００５】
しかしながら、上述の複数の機能が要求されるため、美観を備えたデザイン性と両立させながらこれらの種々の機能性を全て十分に満たすことは容易でない。
【０００６】
そこで、本願考案の目的は、上記従来技術の有する問題を解消し、美観を備えたデザイン性とともに、相手部材との間に機密性の確保や、指挟みを防止する安全性や、閉まるときに生じる音を吸収する吸音性等を備える引戸の戸先用クッション材を提供することである。
【課題を解決するための手段】
【０００７】
上記目的を達成するために、本願の考案に係る引戸の戸先用クッション材は、引戸の戸先に取り付けられ、相手部材に対し引戸が閉められるときにクッションの機能を担う長手方向に長い形状の引戸の戸先用クッション材であって、短手方向断面において中央部のかまぼこ輪郭形状の第１クッション部と、短手方向断面において前記第１クッション部の両側に左右対称にあって羽根状の第２クッション部とを備え、前記第１クッション部には、前記かまぼこ輪郭形状の内部に中空の第１空間が形成されており、前記第２クッション部の両側の先端部が自由端に形成され、前記自由端が前記かまぼこ輪郭形状の外面に近接し前記かまぼこ輪郭形状の外面と前記第２クッション部の内面との間に第２空間が形成されていることを特徴とする。
【０００８】
また、前記第２クッション部は、前記第１クッション部よりも厚み方向により突出した厚みを有することを特徴とする。
【０００９】
また、前記第１クッション部は、前記相手部材の面との間にクッション性を与えるとともに指挟み防止の機能を有し、前記第２クッション部は、前記第１クッション部と前記相手部材の面との間に形成される隙間を外部から気密にする機密性の機能を有することを特徴とする。
【００１０】
また、背面は平坦状に形成されていることを特徴とする。
【００１１】
また、背面に、引戸の前記戸先に埋め込まれて取り付けられる取り付け部が突出して形成されていることを特徴とする。
【００１２】
また、鎌錠セットを備える引戸に取り付けられ、前記鎌錠セットは、前記戸先用クッション材の一部を切り欠いて前記戸先に取り付けられる鎌錠本体と、前記相手部材に形成される相手孔部とを備え、前記鎌錠本体は、鎌形状を有する鎌錠部と、前記引戸が開かれた状態では前記戸先面から所定長さだけ突出し前記相手部材と接触して進退自在のトリガー部と、前記鎌錠部の前記相手孔部に対する動きを操作する操作錠部とを有し、前記第１クッション部の厚さは、前記トリガー部の前記所定長さの０．２倍から１．５倍の大きさであることを特徴とする。
【００１３】
また、前記第１クッション部の厚さは、前記トリガー部の前記所定長さの０．２倍から０．８倍の大きさであることを特徴とする。
【考案の効果】
【００１４】
本願考案の構成によれば、第１クッション部と第２クッション部を備えるので、引戸に使用され、操作者の指が挟まれることを防止でき、また、密閉性と遮音性を確保できるクリップ部材を提供することができる。
【考案の実施の形態】
【００１５】
以下に図面を参照して、本考案に係る引戸の戸先用クッション材
の実施の形態について説明する。
【００１６】
図１は、引戸１の戸先１ａに接着あるいはねじ等の固着手段で取り付けられた戸先用クッション材２を示す。戸先用クッション材２は、壁や柱等の相手部材１０に対し引戸１が閉められるときにクッションの機能を担うものであり、ゴム材等の弾性部材で構成されており、長手方向に長い形状を有する。
【００１７】
図２は、戸先用クッション材２の短手方向断面の断面図を示す。図１あるいは図２に示すように、戸先用クッション材２は、中央部のかまぼこ輪郭形状の第１クッション部３と、第１クッション部３の両側に左右対称にあって羽根状の第２クッション部４と、第１クッション部３及び第２クッション部４の各々の基部がが合体する平坦部５とを備えている。第１クッション部３の内部には、かまぼこ輪郭形状の中空の第１空間６が形成されている。第１空間６は長手方向の上端と下端が開口し他は密閉状に形成されている。
【００１８】
第２クッション部４の両側の先端部は自由端４ａとして形成され、自由端４ａが第１クッション部３のかまぼこ輪郭形状の外面に小さな隙間を介して近接して位置しており、第１クッション部３のかまぼこ輪郭形状の外面と第２クッション部４の内面との間に第２空間７が形成されている。
【００１９】
図２に示されるように、短手方向断面において、第１クッション部３を形成する部材の肉厚は第１空間６の幅方向の厚みに比べてより薄く形成されており、第２クッション部４を形成する部材の肉厚は第２空間７の幅方向の厚みに比べてより薄く形成されている。これによって、第１クッション部３と第２クッション部４とは、高いクッション性を発揮することができる。
【００２０】
短手方向断面において、第２クッション部４は第１クッション部３よりも好ましくは厚み方向により突出しており、第１クッション部３が厚さｔ１を有し第２クッション部４は厚さｔ２を有するとすると、厚さｔ２は厚さｔ１より大きい。なお、厚さｔ２は厚さｔ１より小さくなければよく、同等であってもよい。
【００２１】
第１クッション部３は、相手部材１０の面１０ａとの間にクッション性を与えるとともに指挟み防止の機能を有する。第２クッション部４は、第１クッション部３と相手部材１０の面１０ａとの間に形成される隙間を外部から気密にする機密性の機能を有する。
【００２２】
また、図４に戸先用クッション材２の変形例として戸先用クッション材１２を示す。戸先用クッション材１２は、基部５の背部に引戸１の戸先１ａに埋め込まれて取り付けられる取り付け部１３を基部５と一体的に備えている。取り付け部１３は基部５の中央部から突出しており、取り付け部１３は中央部の太い幹部１３ａと幹部１３ａの両側に細かく突出したひげ部１３ｂから構成されている。戸先１ａに形成された縦溝部に取り付け部１３を押し込むことによってひげ部１３ｂが弾性変形し、ビス等を用いることなく戸先用クッション材１２を引戸１の戸先１ａに取り付けることが可能になる。
【００２３】
次に、戸先用クッション材２の作用について説明する。  
引戸１を閉めようとして引戸１が相手部材１０に対し引戸１を接近させると、まず、第２クッション部４が相手部材１０の面１０ａに接触する。第２クッション部４は、羽根状であって先端部が自由端４ａであるので相手部材１０の面１０ａに倣うように容易に弾性変形し第２空間４が扁平し、次に第１クッション部３の頭部が相手部材１０の面１０ａに接触する。第１クッション部３はかまぼこ輪郭形状を有し内部に半密閉的な第１空間６が形成されているので、第１クッション部３は第２クッション部４よりもより硬い感触で弾性変形する傾向を有する。第１クッション部３と第２クッション部４との弾性変形の容易さの差異によって、引戸１の操作者は第１クッション部３の先端部が相手部材１０の面１０ａに接触したことを容易に認識することができる。この段階で、第１クッション部３がわずかに弾性変形し第１空間６が扁平し相手部材１０の面１０ａとの間で厚さｔ１より僅かに小さい大きさの隙間（達成隙間ということにする）が形成され引戸１の閉状態が達成される。この閉状態においては、相手部材１０の面１０ａとの間に達成隙間が形成されているので、操作者の指が挟まれることを防止でき、また、第２クッション部４が第１クッション部３を両側から挟むようにして相手部材１０の面１０ａと接触しているので達成隙間の存在にもかかわらず引戸１の外部との間で密閉性を確保することができ、また、相手部材１０の面１０ａは第１空間６を形成する第１クッション部３と第２空間７を形成する第２クッション部４接触して閉状態になるので引戸１を閉めることにより生じ得る音の遮音性を達成することができる。
【００２４】
第１クッション部３は主に、相手部材１０の面１０ａとの間にクッション性を与えるとともに指挟み防止の機能を担い、第２クッション部４は主に、第１クッション部３と相手部材１０の面１０ａとの間に形成される達成隙間を外部から気密にする機密性の機能を担う。
【００２５】
次に、図３を参照して、本考案の他の実施形態について説明する。本実施形態は、戸先用クッション材２が鎌錠セットを備える引戸１に取り付けられた例に係るものである。戸先用クッション材２はその一部を切り欠いて開口部２ａを形成して使用される。
【００２６】
鎌錠セットは、戸先用クッション材２の開口部２ａにおける戸先１ａに取り付けられる鎌錠本体２０と、相手部材１０に形成される相手孔部２１とを備えている。鎌錠本体２０は、鉤状あるいは鎌形状を有する鎌錠部２２と、引戸１が開かれた状態では戸先面１ａから所定長さ（例えば、１０ｍｍの長さ）だけ突出し相手部材１０と接触して進退自在のトリガー部２３と、相手孔部２１に対して鎌錠部２２の動きを操作する操作錠部２４とを有する。
【００２７】
鎌錠部２２は、引戸１が開けられた状態では、戸先１ａ内に収まっており、操作錠部２４を回転させても戸先１ａ内から出ることはない。これに対して、引戸１が閉められる状態においてトリガー部２３が相手部材１０の面１０ａに接触し始めると、操作錠部２４を回転させることによって、戸先１ａ内に収まっている鎌錠部２２は９０°回転して戸先１ａ内から出でることが実現し、相手孔部２１と結合可能になる。
【００２８】
戸先用クッション材２の第１クッション部３の厚さｔ１はトリガー部２３の前記所定長さの０．２倍から１．５倍の大きさであり、より好ましくは、第１クッション部３の厚さｔ１はトリガー部２３の前記所定長さの０．２倍から０．８倍の大きさである。
【００２９】
第１クッション部３の厚さｔ１とトリガー部２３の前記所定長さの大小関係が上記の範囲において、第１クッション部３の厚さｔ１がトリガー部２３の前記所定長さより大きい場合には、まず第２クッション部４に次いで第１クッション部３が相手部材１０の面１０ａに接触し第１空間６が扁平し、次にトリガー部２３が相手部材１０の面１０ａに接触して操作錠部２４を回転させることによって鎌錠部２２と相手孔部２１との施錠が可能にある。
【００３０】
また、第１クッション部３の厚さｔ１がトリガー部２３の前記所定長さより大きくない場合には、第１クッション部３が相手部材１０の面１０ａに接触する前にトリガー部２３が相手部材１０の面１０ａに接触し、さらに引戸１を閉めることによって第１クッション部３が相手部材１０の面１０ａに接触し第１空間６が扁平し、操作錠部２４を回転させることによって鎌錠部２２と相手孔部２１との施錠が可能にある。
【００３１】
戸先用クッション材２の第１クッション部３の厚さｔ１がトリガー部２３の前記所定長さの０．２倍から１．５倍の大きさであって第１クッション部３の厚さｔ１がトリガー部２３の前記所定長さの大きさに近い場合には、第１クッション部３とトリガー部２３のいずれが先に相手部材１０の面１０ａに接触するかの違いはあるが、いずれの場合でも、引戸１の操作者は第１クッション部３の先端部が相手部材１０の面１０ａに接触したことを容易に認識することができ、この段階で、操作錠部４を回転させることによって鎌錠部２２と相手孔部２１との施錠が可能にある。
【００３２】
なお、第１クッション部３の厚さｔ１がトリガー部２３の前記所定長さの０．２倍から０．８倍の大きさである場合には、第１クッション部３の先端部が相手部材１０の面１０ａに接触する前にトリガー部２３が相手部材１０の面１０ａにまず接触していることになるので、安心して鎌錠セットの施錠行為を行うことができる。
【００３３】
このように、閉状態においては、鎌錠本体２０と相手孔部２１とを備える鎌錠セットを確実に機能させることができるとともに、相手部材１０の面１０ａとの間に達成隙間が形成されているので、操作者の指が挟まれることを防止でき、また、第２クッション部４が第１クッション部３を両側から挟むようにして相手部材１０の面１０ａと接触しているので達成隙間の存在にもかかわらず引戸１の外部との間で密閉性を確保することができ、また、相手部材１０の面１０ａは第１空間６を形成する第１クッション部３と第２空間７を形成する第２クッション部４接触して閉状態になるので引戸１を閉めることにより生じ得る音の遮音性を達成することができる。
【図面の簡単な説明】
【００３４】
【図１】本考案に係る引戸の戸先用クッション材を引戸に取りつけた使用例を示す図。
【図２】図１に示す戸先用クッション材の断面を示す図。
【図３】戸先用クッション材の変形例の断面を示す図。
【図４】戸先用クッション材が鎌錠セットを備える引戸に取り付けられた例を示す図。
【符号の説明】
【００３５】
１  引戸
１ａ  戸先
２、１２  戸先用クッション材
３  第１クッション部
４  第２クッション部
５  基部
６  第１空間
７  第２空間
１０  相手部材
２０  鎌錠本体
２１  相手孔部
２２  鎌錠部
２３  トリガー部
２４  操作錠部
ｔ１  第１クッション部の厚さ
ｔ２  第２クッション部の厚さ
４とを有する。
【図１】
0003175086.tif 000003
【図２】
0003175086.tif 000004
【図３】
0003175086.tif 000005
【図４】
0003175086.tif 000006